(57)【特許請求の範囲】
【請求項１】
全体の形状が細長くて浅い舟形であり、その凹陥部を扉面に向けて装着される部材であって、その舟形の底面の一部に機能ブロック用の開口を形成すると共に、この開口以外の部分の裏面に一対の平行なばね板材を固定し、各ばね板材の自由端縁部に、複数の突起を他のばね板材とは反対側に突出するように形成し、一方、扉面に、機能ブロックの化粧長座カバーの一構成部材であり、断面が細長いコ字形の裏板を装着し、その裏板の幅方向の平行板部の間隔が一対のばね板材の突起の間隔より小さくなるように設定すると共に、裏板の長さを各ばね板材における突起の最大間隔より大きくなるように設定し、一対のばね板材を裏板の平行板部の間に押込み、裏板との間の摩擦係合及び裏板を介して扉面に装着することを特徴とする機能ブロックの化粧長座カバー。
【発明の詳細な説明】
【技術分野】
【０００１】
この発明は、新規で着脱が容易な機能ブロックの化粧長座カバー（以下単に長座カバーという）に係り、特に、長期間の使用によっても扉面から浮き上がることがない長座カバーに関する。
【背景技術】
【０００２】
従来、下記特許文献１に記載された発明等による所謂プッシュプルハンドル錠は、ハンドルを引き、又は押す動作でラッチ機構の解除と扉の開閉が一動作でできて便利である。
【０００３】
一方、図１及び図２に示すように、プッシュプルハンドルを短くすると共に、デザイン上の要請から座板を横長にしたハンドル錠が提案されており、このハンドル錠は、その取付部を合成樹脂をモールドした化粧カバー（長座カバー）２で覆う構造である。
【０００４】
他方、例えば下記特許文献２及び３に示すシリンダ錠の扉面への取付において、化粧リング５の代りに縦長の長座カバーでシリンダ筒を覆い、長座カバーの中央部を貫通するようにドアノブやハンドルを装着する態様も考えられる（図示せず）。
【特許文献１】特開平１１−０１４９５８号公報
【特許文献２】特開２００３−１７３３９２
【特許文献３】特開２００２−１７３３９１
【発明の開示】
【発明が解決しようとする課題】
【０００５】
通常、斯かる長座カバーを扉外面に装着するには、例えば扉を貫通する図示しない取付ねじにより長座カバーを室内側から扉外面に呼び付けるように固定する。
【０００６】
しかしながら、斯かる構造の長座カバーは取付が面倒であり、室内側に取付ねじが露出するため見栄えが良くない。
【０００７】
そこで、この発明は、扉外面又は内面側から長座カバーを扉面方向に押し付けるだけで装着でき、しかも長期間の使用によっても浮き上がることがない新規な長座カバーを提供することを目的としている。
【課題を解決するための手段】
【０００８】
上記の目的を達成するため、請求項１に記載の発明は、全体の形状が細長くて浅い舟形であり、その凹陥部を扉面に向けて装着される部材であって、その舟形の底面の一部に機能ブロック用の開口を形成すると共に、この開口以外の部分の裏面に一対の平行なばね板材を固定し、各ばね板材の自由端縁部に、複数の突起を他のばね板材とは反対側に突出するように形成し、一方、扉面に、機能ブロックの化粧長座カバーの一構成部材であり、断面が細長いコ字形の裏板を装着し、その裏板の幅方向の平行板部の間隔が一対のばね板材の突起の間隔より小さくなるように設定すると共に、裏板の長さを各ばね板材における突起の最大間隔より大きくなるように設定し、一対のばね板材を裏板の平行板部の間に押込み、裏板との間の摩擦係合及び裏板を介して扉面に装着することを特徴とする。
【発明の効果】
【０００９】
上記のように構成された請求項１に記載の発明は、予め扉面に固定された裏板に、長座カバーの裏面に固定されたばね板材を摩擦係合によって結合するので、一動作で扉面に装着できて取付作業が容易である。また、取り外しも容易にできる。
【００１０】
また、同様の理由により、長座カバーと裏板との結合が強固であり、長期間の使用によっても扉面から長座カバーが浮き上がることがない。
【００１１】
更にまた、予め扉面に固定された裏板を長座カバーが覆う態様で装着されるので、外側に取付ねじ等が露出せず見栄えが良い、等種々の効果を奏する。
【発明を実施するための最良の形態】
【００１２】
長座カバーの裏面側に突起を形成した一対のばね板材を固定し、予め扉面に固定された断面が細長いコ字形の裏板にばね板材を押込むようにして、摩擦係合を介して取り付けるので、取付作業が容易であるばかりでなく、長期間の使用によっても扉面から浮き上がることがない。
【実施例１】
【００１３】
以下、この発明の実施例を図面を参照して説明する。
図１及び図２において符号３は扉を示し、この扉３の内、外表面に夫々裏板４が固定されている。なお、この裏板４は、図面を明瞭にする関係上、図１の内面に固定されたもののみを示す。
【００１４】
図示の実施例においては、図１に示すように、室外側の裏板外底面にかしめ付けられ、雌ねじ孔を形成した連結杆５の先端に、室内側の裏板４の底面を貫通する取付ビス６をねじ合せ、これをねじ回すことにより、室外側の裏板４（図示せず）を呼び付けるようにして両裏板４、４を扉面に固定する。
【００１５】
各裏板４は、図３及び図４に示すように、矩形で一面が開口した浅い箱状であり、その長さ方向（図３で左右方向）に延在する一対の平行側板と後述するばね板材を摩擦係合させて長座カバーを扉面に固定する。
【００１６】
なお、図４及び図５において符号７は断面コ字形の取付枠を示し、この取付枠７は、後述するように長座カバー２を扉面に装着した状態において、機能ブロックとしてのプッシュプルハンドル１用の開口８（図６及び図７参照）から外側に突出する。
【００１７】
そして、その軸穴９（図５参照）や係止切欠１１を利用してプッシュプルハンドル１を裏板に取り付けるのだが、そのプッシュプルハンドルの構造及び取付はこの発明の要旨ではないので、更に詳細な説明は省略する。
【００１８】
一方、前記長座カバー２は、図６及び図７に示すように、例えば外形が細長い矩形の舟形の部材であり、合成樹脂のモールド等により製造される。
【００１９】
そして、その凹陥部（図７で下側）を扉面に向けて装着されることは前記し、また図１に示す通りである。
度
この長座カバー２の一端部（図６及び図７で左端部）には、上記したように、プッシュプルハンドル取付用の開口８が形成されている。
【００２０】
また、長座カバー２の他端部裏面側には、図１及び図８に示すように、ばね材１２が例えばねじ止めにより固定されている。
【００２１】
このばね材１２は、例えば図９乃至図１１に示すように、大体の形状が矩形で、断面が略コ字形の、例えばステンレスばね板或いは隣青銅板のような板状の弾性体で、例えば長座カバーの他端部裏面側に形成された取付ねじ穴１３を利用して、止めねじ１４、１４（図８参照）により長座カバー２の裏面に固定されている。
【００２２】
但し、図示の実施例では、ばね材の中央部は単に取付のための部分で、ばね材として機能するのは、長座カバーの長さ方向に沿う図９及び図１１において両側の部分で、図１０に正面を示すばね板材１２ａである。
【００２３】
このばね板材１２ａの中央部は弾性が増大するように切り欠かれており、この切欠部の両側の自由端縁部には例えば正面形がＵ字形の複数の突起１５、１５（図１２参照）が形成されている。
【００２４】
なお、図示の実施例では、この突起は一対形成されており、図９乃至図１１に示すように、他のばね板材とは反対方向に突出するように形成されている。
【００２５】
上記のように構成されたこの発明の一実施例による長座カバーは、一対のばね板材１２ａ、１２ａを裏板４側に向けてこれに押し付けるようにして装着する。
【００２６】
このとき、裏板４が長座カバー２の凹陥部と隙間なく填り合うように各部の寸法を設定しておけば（図１参照）、裏板４と長座カバーとの嵌合部が案内となるから、長座カバー２の取付精度は容易に確保できる。
【００２７】
そして、長座カバー２が裏板４に近接するにつれ、裏板４の開口端縁が図１２において下方から突起１５に近接し、やがてこれと係合した後はばね板材１２ａ、１２ａを内側に押し曲げつつ図１図８に示す結合位置に致る。
【００２８】
長座カバー２が扉面に接合する規定取付位置においては、ばね板材１２ａと裏板４との間の摩擦係合により長座カバー２が裏板４に確りと結合され、長座カバー２の浮き上がりを長期間に渡って防止すると共に、その取付状態を半永久的に保つ。
【実施例２】
【００２９】
長座カバー２に前記特許文献２、３に記載された化粧リング様の台形の突起を形成すると共に、他の部分にドアのノブやハンドルが貫通する取付孔を開口させれば（図示せず）、シリンダ筒を機能ブロックとする長座カバーを構成することができる。
【図面の簡単な説明】
【００３０】
【図１】この発明の一実施例による長座カバーを装着したプッシュプル錠の一部断面平面図。
【図２】その側面図。
【図３】裏板の平面図。
【図４】その一方向から見た側面図。
【図５】他方から見たその側面図。
【図６】長座カバーの裏面図。
【図７】長座カバーの縦断面図。
【図８】長座カバーの要部横断面図。
【図９】ばね板の平面図。
【図１０】ばね板の一方向から見た側面図。
【図１１】ばね板の他方向から見た側面図。
【図１２】ばね板材の突起の拡大断面図。
【符号の説明】
【００３１】
１  プッシュプルハンドル
２  長座カバー
３  扉
４  裏板
５  連結杆
６  取付ビス
７  取付枠
８  開口
９  軸穴
１１  係止切欠
１２  ばね材
１２ａ  ばね板材
１３  取付ねじ穴
１４  止めねじ
１５  突起
【図１】
0004791144.tif 000002
【図２】
0004791144.tif 000003
【図３】
0004791144.tif 000004
【図４】
0004791144.tif 000005
【図５】
0004791144.tif 000006
【図６】
0004791144.tif 000007
【図７】
0004791144.tif 000008
【図８】
0004791144.tif 000009
【図９】
0004791144.tif 000010
【図１０】
0004791144.tif 000011
【図１１】
0004791144.tif 000012
【図１２】
0004791144.tif 000013